(57)【要約】      （修正有）【課題】自動車などの移動体に搭載した場合にその操作者が特別な操作をすることなしに表示内容を合法的に且つ自動的に切り替えるようにした車載用表示装置及びこれを用いたコンテンツ表示方法を提供する。【解決手段】車両が移動状態か停止状態かを判断するための移動判断機能部と、移動判断機能部から出力される信号が車両が移動状態であることを示す場合、ＬＥＤ表示体３あるいは液晶表示体２に表示する表示内容を静止画像の表示または無表示とし、移動判断機能部から出力される信号が車両が停止状態であることを示す場合、表示内容を静止画像の表示、動画の表示、および、無表示のうちの少なくとも１つとする表示制御部１９とを具備する。【選択図】図５
2017185846.tif 000002
【特許請求の範囲】
【請求項１】
複数個のＬＥＤ発光素子を面状に配列し、前記複数個のＬＥＤ発光素子のそれぞれを任意に点灯させ、表面に文字、図形からなる情報を表示可能とするＬＥＤ表示体、あるいは映像または画像を表示可能とする液晶表示体を表面に備え、前記ＬＥＤ表示体あるいは前記液晶表示体に表示する、複数のコンテンツ情報を記憶可能なメモリを内蔵または接続可能とし、さらに前記メモリに記憶される複数のコンテンツ情報を選択的に前記ＬＥＤ表示体あるいは前記液晶表示体に切換表示するための制御手段を内蔵し、車両に搭載される車載用表示装置にあって、
前記車両が移動状態か停止状態かを判断するための移動判断機能部と、
前記移動判断機能部から出力される信号が前記車両が移動状態であることを示す場合、前記ＬＥＤ表示体あるいは前記液晶表示体に表示する表示内容を静止画像の表示または無表示とし、前記移動判断機能部から出力される信号が前記車両が停止状態であることを示す場合、前記表示内容を静止画像の表示、動画の表示、および、無表示のうちの少なくとも１つとする表示制御部とを具備することを特徴とする車載用表示装置。
【請求項２】
前記移動判断機能部は、前記車両の電子制御装置から出力される、移動信号および停止信号を用いて、前記車両が移動状態か停止状態かを判断する請求項１に記載の車載用表示装置。
【請求項３】
前記車載用表示装置は、ＧＰＳ信号を受信するＧＰＳアンテナを備え、
前記移動判断機能部は、前記ＧＰＳアンテナが受信したＧＰＳ信号を用いて、前記車両が移動状態か停止状態かを判断する請求項１に記載の車載用表示装置。
【請求項４】
前記車載用表示装置は、前記車両の加速度を検出する加速度センサを備え、
前記移動判断機能部は、前記加速度センサによる検出結果に基づいて、前記車両が移動状態か停止状態かを判断する請求項１に記載の車載用表示装置。
【請求項５】
前記車載用表示装置は、ＧＰＳ信号を受信するＧＰＳアンテナと、前記車両の加速度を検出する加速度センサとを備え、
前記移動判断機能部は、前記ＧＰＳアンテナが受信したＧＰＳ信号、および、前記加速度センサによる検出結果の少なくとも一方に基づいて、前記車両が移動状態か停止状態かを判断する請求項１に記載の車載用表示装置。
【請求項６】
請求項１から請求項５のいずれか１項に記載の車載用表示装置を用いたコンテンツ表示方法であって、
前記停止状態において前記静止画像の表示または前記動画の表示を行っている状態で、前記移動判断機能部が、前記停止状態から前記移動状態に変化したことを判断したことを示す信号を受け取った場合、前記表示制御部は、割り込み処理として、前記表示内容を、所定の固定画コンテンツの表示に切り替えることを特徴とするコンテンツ表示方法。
【請求項７】
前記所定の固定画コンテンツの表示に切り替えてから所定時間以内に前記停止状態にもどった場合、前記表示内容として、前記割り込み処理の直前に表示されていた、前記静止画像の表示または前記動画の表示を再開する請求項６に記載のコンテンツ表示方法。
【請求項８】
前記移動判断機能部から出力される信号が、前記車両が前記移動状態から前記停止状態に変化したことを示す場合であっても、前記変化から予め設定した時間の経過後に前記停止状態に相当する前記表示内容の表示を開始することを特徴とする請求項１から請求項５のいずれか１項に記載の車載用表示装置。
【発明の詳細な説明】
【技術分野】
【０００１】
本発明は、車などによる移動店舗や移動可能な公共情報提供車に搭載可能な車載用表示装置及びこれを用いたコンテンツ表示方法に関する。
【背景技術】
【０００２】
店頭や店舗内に設置され、店舗で販売される商品の情報（以下商品情報という）や店舗で提供される役務の情報（以下役務情報という）を表示する表示装置としては、従来より様々なタイプのものが存在し、例えば特許文献１に記載の面発光型ディスプレイのように、その多くはマトリックス状のＬＥＤ表示体や平板状の液晶表示体を備え、マトリックス状のＬＥＤ表示体に関しては、店舗で販売される商品情報や店舗で提供される役務情報を複数のＬＥＤ素子の選択的点灯により文字、図形あるいは動画としてＬＥＤ表示体に表示するようにしている。また平板状の液晶表示体においては、店舗で販売される商品情報や店舗で提供される役務情報に対応する画像あるいは動画を画面に表示し、音声情報とともに通行人や入店者に認知させるようにしている。
【０００３】
こうした表示装置に関しては、マトリックス状のＬＥＤ表示体や平板状の液晶表示体に表示する商品情報、役務情報として予め複数のコンテンツを用意しておくのが一般であり、そうしたコンテンツ情報に関しては表示装置に内蔵されるメモリに記憶させたり、表示装置に接続可能な外部メモリ（ＵＳＢメモリ、ＳＤカード等）に記憶させ、店舗の表示装置の操作者が提供する商品や役務の内容により、例えば時間帯別、季節別に表示するコンテンツ情報の内容を切換え、表示装置に表示するようにしている。
【０００４】
加えて、最近では表示装置をインターネット回線やイントラネット回線に接続させ、デジタルサイネージ端末として用いることも盛んに行われている。そうした表示装置にあっては、店舗の商品情報、役務情報ばかりでなく、ニュース、天気予報、災害情報、地域のコミュニティ情報、さらにその店舗がチェーン店舗の場合、チェーン店の本部のサーバから送信されるリアルタイムの商品情報、役務情報を表示することも可能としている。
【０００５】
そうした表示装置にあって、店舗の表示装置の操作者は、提供する商品や役務の内容により、時間帯別、季節別に表示するコンテンツの内容を変更させたり、またコンテンツを自ら作成し、表示内容をカスタマイズして表示することも行われ、そうしたコンテンツの変更表示は下記特許文献１で開示されるようなリモコン装置により行うことが一般とされていた。すなわち、リモコン装置は赤外線によるコード信号を送信可能とし、表示装置には赤外線信号の受光部を備え、リモコン装置より送信されたコード信号により、表示装置に表示するコンテンツの内容を自由に設定し、変更することを可能とするものである。
【０００６】
すなわち、こうした装置によれば、店舗の表示装置の操作者はリモコン装置を操作（リモコン装置によるコード信号の送信）することにより選択的に表示装置に内蔵されるメモリや表示装置に接続可能な外部メモリに記憶された複数のコンテンツ情報（商品情報、役務情報等）や、またネット回線に接続され外部より受信される様々なコンテンツ情報（例えばニュース、天気予報、災害情報、地域のコミュニティ情報、さらにチェーン店の本部のサーバから送信されるリアルタイムの商品情報、役務情報等）などを、表示装置のＬＥＤ表示体あるいは液晶表示体に表示することを可能としている。これにより、店舗の表示装置の操作者においては、その日において行われる特別のイベントや目玉商品に関する情報を表示装置に表示させたり（例えば「本日全商品１０％引き」、「本日、大間産の本マグロ入荷」など）や、さらに緊急の災害情報などもリモコン装置の操作により動画や静止画を切換表示することを可能にしている。
【先行技術文献】
【特許文献】
【０００７】
【特許文献１】特開平１１−１６７３５９号
【発明の概要】
【発明が解決しようとする課題】
【０００８】
従来この種の表示装置は何らかの形で床に設置したり又は壁面に取り付けたりして、固定的に運用することを前提としていた。しかしながら、近年、表示装置の使用目的の多様性が要求され、固定のみならず、何らかの手段により移動することを想定し移動中も表示できるようにする必要が発生している。例えば、車などを利用した移動店舗が増えてきて販売者側は利用客に商品を売ると同時に各種の宣伝の提供やサービスの一つとして、例えばニュース、天気予報、災害情報、地域のコミュニティ情報を前記の表示装置のようなもので行いたいという要求がある。
【０００９】
また、公共性を有する用途として、車などに搭載して地震などの災害時に緊急情報を従来のような音響情報のみならず視覚情報としても提供したいという要求がある。しかし、車などに表示器を搭載するに当たり道路交通法などの規制を考慮しなければならす、従来のように固定的に設置して使用する表示装置をそのまま車などに搭載しても制限があり本来の目的を達成できない。例えば道路上で使用する場合、車の移動中における、動画や画像のスクロールはほかの車などのドライバーの錯誤を誘発する恐れがあるため危険なことであるとされ、法的にも禁止されている。
【００１０】
そこで本発明は、車両その他の移動体に搭載する用途においても所望の表示機能を発揮できるように構成され、かつ、合法的に動作し、移動状態および停止状態における制約を気にすることなく使用することのできる車載用表示装置及びこれを用いたコンテンツ表示方法を提供することを目的とするものである。
【課題を解決するための手段】
【００１１】
上記目的を達成するため、本発明の車載用表示装置は、複数個のＬＥＤ発光素子を面状に配列し、複数個のＬＥＤ発光素子のそれぞれを任意に点灯させ、表面に文字、図形からなる情報を表示可能とするＬＥＤ表示体、あるいは映像または画像を表示可能とする液晶表示体を表面に備え、ＬＥＤ表示体あるいは液晶表示体に表示する、複数のコンテンツ情報を記憶可能なメモリを内蔵または接続可能とし、さらにメモリに記憶される複数のコンテンツ情報を選択的にＬＥＤ表示体あるいは液晶表示体に切換表示するための制御手段を内蔵し、車両に搭載される車載用表示装置にあって、車両が移動状態か停止状態かを判断するための移動判断機能部と、移動判断機能部から出力される信号が車両が移動状態であることを示す場合、ＬＥＤ表示体あるいは液晶表示体に表示する表示内容を静止画像の表示または無表示とし、移動判断機能部から出力される信号が車両が停止状態であることを示す場合、表示内容を静止画像の表示、動画の表示、および、無表示のうちの少なくとも１つとする表示制御部とを具備することを特徴としている。
【００１２】
また、本発明の車載用表示装置において、移動判断機能部は、車両の電子制御装置から出力される、移動信号および停止信号を用いて、車両が移動状態か停止状態かを判断することが好ましい。
【００１３】
また、本発明の車載用表示装置は、ＧＰＳ信号を受信するＧＰＳアンテナを備え、移動判断機能部は、ＧＰＳアンテナが受信したＧＰＳ信号を用いて、車両が移動状態か停止状態かを判断することが好ましい。
【００１４】
また、本発明の車載用表示装置は、車両の加速度を検出する加速度センサを備え、移動判断機能部は、加速度センサによる検出結果に基づいて、車両が移動状態か停止状態かを判断することが好ましい。
【００１５】
また、本発明の車載用表示装置は、ＧＰＳ信号を受信するＧＰＳアンテナと、車両の加速度を検出する加速度センサとを備え、移動判断機能部は、ＧＰＳアンテナが受信したＧＰＳ信号、および、加速度センサによる検出結果の少なくとも一方に基づいて、車両が移動状態か停止状態かを判断することが好ましい。
【００１６】
また、本発明のコンテンツ表示方法は、上述のいずれかの車載用表示装置を用いたコンテンツ表示方法であって、停止状態において静止画像の表示または動画の表示を行っている状態で、移動判断機能部が、停止状態から移動状態に変化したことを判断したことを示す信号を受け取った場合、表示制御部は、割り込み処理として、表示内容を、所定の固定画コンテンツの表示に切り替えることを特徴としている。
【００１７】
本発明のコンテンツ表示方法において、所定の固定画コンテンツの表示に切り替えてから所定時間以内に停止状態にもどった場合、表示内容として、割り込み処理の直前に表示されていた、静止画像の表示または動画の表示を再開することが好ましい。
【００１８】
本発明の車載用表示装置においては、移動判断機能部から出力される信号が、車両が移動状態から停止状態に変化したことを示す場合であっても、この変化から予め設定した時間の経過後に停止状態に相当する表示内容の表示を開始することが好ましい。
【発明の効果】
【００１９】
本発明の車載用表示装置およびコンテンツ表示方法によれば、車両が移動状態か停止状態かを判断するための移動判断機能部を備え、この移動判断機能部から出力される信号が車両が移動状態であることを示す場合、ＬＥＤ表示体あるいは液晶表示体に表示する表示内容を静止画像の表示または無表示とし、移動判断機能部から出力される信号が車両が停止状態であることを示す場合、表示内容を静止画像の表示、動画の表示、および、無表示のうちの少なくとも１つとする表示制御部とを具備することにより、移動体に搭載する用途においても所望の表示機能を発揮することができ、かつ、合法的に動作し、移動状態および停止状態における制約を気にすることなく使用することが可能になるという効果を奏し、これにより、表示装置の用途の拡大に貢献するものである。
【図面の簡単な説明】
【００２０】
【図１】本発明の実施形態に係る表示装置の正面図である。
【図２】図１のＩＩ−ＩＩ線に沿う断面図である。
【図３】図１、図２に示す表示装置の斜視図である。
【図４】（Ａ）は表示装置を遠隔操作するためのリモコン（リモートコントローラ）の例を示す平面図であり、（Ｂ）はリモコンの別の例を示す平面図である。
【図５】本発明の実施形態に係る表示装置の構成を示すブロック図である。
【図６】（Ａ）はメモリ内に記憶されるＬＥＤ表示体に表示される各コンテンツ情報の内容を示すコンテンツリスト、（Ｂ）はメモリ内に記憶される液晶表示体に表示される各コンテンツ情報の内容を示すコンテンツリストである。
【図７】ＬＥＤ表示体に表示される画像１のコンテンツ内容の詳細を示すリストである。
【図８】ＬＥＤ表示体に表示される画像２のコンテンツ内容の詳細を示すリストである。
【図９】ＬＥＤ表示体に表示される画像３のコンテンツ内容の詳細を示すリストである。
【図１０】液晶表示体に表示される画像１のコンテンツ内容の詳細を示すリストである。
【図１１】液晶表示体に表示される画像２のコンテンツ内容の詳細を示すリストである。
【図１２】液晶表示体に表示される画像３のコンテンツ内容の詳細を示すリストである。
【図１３】（Ａ）は車載用表示装置を自動車の窓ガラスの内側に設けた例を示す側面図、（Ｂ）は（Ａ）のＸ−Ｘ’線に沿った断面図である。
【図１４】（Ａ）は車載用表示装置を自動車のドアの内部に設けた例を示す側面図、（Ｂ）は（Ａ）のＹ−Ｙ’線に沿った断面図である。
【図１５】（Ａ）は自動車からの信号の時間変化を示す図、（Ｂ）は（Ａ）の信号に対応して自動車信号インターフェイスから出力される信号を示す図、（Ｃ）は（Ｂ）に対応した、液晶表示体またはＬＥＤ表示体における表示状態を示す図である。
【図１６】（Ａ）はＧＰＳアンテナからの出力信号の例を示し、（Ｂ）は（Ａ）に対応してＧＰＳ制御部から出力される信号を示し、（Ｃ）は（Ｂ）に対応した、液晶表示体またはＬＥＤ表示体における表示状態を示す図である。
【図１７】（Ａ）は加速度センサから出力される加速度信号の時間変化を示し、（Ｂ）は（Ａ）の信号に基づいて加速度センサ制御部で算出される推定速度の信号の時間変化を示し、（Ｃ）は（Ｂ）の速度に基づいて算出した、加速度センサ制御部からの出力信号を示し、（Ｄ）は（Ｃ）に対応した、液晶表示体またはＬＥＤ表示体における表示状態を示す図である。
【図１８】（Ａ）は自動車からの信号の時間変化を示す図、（Ｂ）は（Ａ）の信号に対応して自動車信号インターフェイスから出力される信号を示す図、（Ｃ）は（Ｂ）の信号に対する遅延時間を示す図、（Ｄ）は（Ｂ）の信号に（Ｃ）の遅延時間を加えたタイミングに対応した、液晶表示体またはＬＥＤ表示体における表示状態を示す図である。
【発明を実施するための形態】
【００２１】
以下、本発明の一実施形態に係る車載用表示装置及びこれを用いたコンテンツ表示方法について説明する。本実施形態では、移動の手段として一番身近な手段であり、且つ現実的な例として、自動車に搭載した場合について説明する。本実施形態の車載用表示装置は、従来の表示装置の基本的機能、すなわち、店頭や店舗内に固定的に設置され、店舗で販売される商品の情報や店舗で提供される役務の情報を表示し、または公共性の高い情報を公共の場に固定的に設置され、前記公共性の高い情報を表示するという機能を有している。さらに、本実施形態の表示装置は、前記基本機能に加えて、図１３、１４に例示するように自動車その他の車両を含む移動体に搭載することが可能であり、かつ、車両が移動状態と停止状態のいずれであるかを判断し、その判断結果にしたがって表示内容を制御することができるというものである。
【００２２】
車載用表示装置としての表示装置１は、図１に示すように、正面から見て全体平板状をなしており、図２に示すように、中空の筐体４の前面を、矩形板状の透明樹脂板７が覆う構成を有している。また、表示装置１は、正面上方に矩形状からなる平板状の液晶表示体２を備え、正面下方に同じく矩形状からなる平板状のＬＥＤ表示体３を備えてなる。
【００２３】
液晶表示体２は、前面側に表示画面を備えた液晶モジュールにより構成され、ＬＥＤ表示体３は、前面側に複数個のＬＥＤ発光素子をマトリックス状に配設して構成されるＬＥＤ発光モジュールにより構成される。これらの液晶モジュールやＬＥＤ発光モジュールは、表示装置１を構成する筐体４の内部にそれぞれ収容され、前面側が筐体４の正面側に位置するように配置される。
【００２４】
このような構成により、表示装置１が移動中か停止中かの状態を問わず、液晶表示体２やＬＥＤ表示体３に画像情報や映像情報を表示させることができ、スピーカ２１（図５）から音声情報を発することができる。したがって、表示装置１を搭載した車両の周辺の通行人や、表示装置１が移動店舗に設けられた場合は店舗の利用者に対して、画像情報、映像情報、および音声情報を通知・認識させることが可能となる。
【００２５】
筐体４の正面から観た右側下方位置には、赤外線受光素子８が配設される。この赤外線受光素子８は、筐体４の前面側を覆う透明樹脂板７の内側に配設される。赤外線受光素子８は、例えば図４（Ａ）又は図４（Ｂ）で示すような、操作者が保持する赤外線リモコン１２、１１２から発信される信号を、透明樹脂板７を透過する状態で受信可能とし、さらに、表示装置１において、液晶表示体２やＬＥＤ表示体３に表示する商品情報、役務情報などの表示内容に係り、予めメモリに記憶される複数のコンテンツ情報を、選択的にＬＥＤ表示体３あるいは液晶表示体２に表示するための信号を、表示装置１のコントロール基板５内の制御手段に出力可能としている。
【００２６】
図４（Ａ）に例示する赤外線リモコン１２は基本的な構成を有している。これに対して、図４（Ｂ）示す赤外線リモコン１１２は、赤外線リモコン１２の基本的な構成に加えて、停止状態用の表示内容を即時に表示させるための停止中表示スイッチ３１と、移動状態用の表示内容を即時に表示させるための走行中表示スイッチ３２とを具備している。赤外線リモコン１２と赤外線リモコン１１２は、基本的な構成として、ＯＮ・ＯＦＦスイッチ２４、発光部２５、機能設定ボタン２６、テンキー２７、送りスイッチ２８、戻りスイッチ２９、および、コンテンツスイッチ３０を備える。ＯＮ・ＯＦＦスイッチ２４は、表示装置１のＯＮ・ＯＦＦ操作を行うためのスイッチであり、発光部２５は、光コード信号を含んだ赤外線を出射するＬＥＤを備える。機能設定ボタン２６は、表示装置１における各種設定、例えば、映像設定、画像設定、音声設定、コンテンツ切換時間間隔の設定、コンテンツの複合表示の設定を行うために設けられ、テンキー２７は、０〜９の数字と所定の記号の入力に用いられる。送りスイッチ２８および戻りスイッチ２９は、コンテンツスイッチ３０の操作によって起動されたコンテンツ情報切換モードにおいて、メモリ１７に記憶されたコンテンツ情報から液晶表示体２とＬＥＤ表示体３に表示する表示内容の切り替えなどに用いられる。
【００２７】
赤外線リモコン１２、１１２から発信され、赤外線受光素子８において、コンテンツ情報の切換表示に対応する信号が受信されると、その信号（コード信号）に基づいてコマンド制御部１４は、対応するコンテンツ情報に係る信号を、表示制御部１９と音声制御部２０に出力させる。上記コンテンツ情報はメモリ１７に予め記憶されている。これにより、液晶表示体２に対応するコンテンツ情報を表示することが可能となる。
【００２８】
また、メモリ１７に記憶され、液晶表示体２やＬＥＤ表示体３で表示されるコンテンツ情報の切り換えは、赤外線リモコン１２のコンテンツスイッチ３０を押し、ＬＥＤ表示体３に表示されたＬＥＤ表示体コンテンツ情報切換モードを送りスイッチ２８及び戻りスイッチ２９を選択することで行われる。すなわち、赤外線受光素子８において赤外線リモコン１２から発信されるコンテンツ情報の切換表示に対応する信号が受信されると、この信号（コード信号）に基づいて、コマンド制御部１４がＣＰＵ１３に対して、メモリ１７に記憶された、対応するコンテンツ情報に係る信号を、表示制御部１９、音声制御部２０に出力させる。これにより、液晶表示体２やＬＥＤ表示体３に対応するコンテンツ情報を表示することが可能となる。
【００２９】
加えて、操作者が保持する赤外線リモコン１２を使用する場合はコンテンツスイッチ３０の押下の後、送りスイッチ２８や戻りスイッチ２９を操作し、図６（Ａ）、（Ｂ）に示すような、メモリ１７に記憶されたＩｎｄｅｘ  Ｎｏ．１〜Ｉｎｄｅｘ  Ｎｏ．ｎの順序で順次選択的かつ間欠的に変更させることも可能である。さらに、コンテンツスイッチ３０の押下の後、テンキー２７で所望のＩｎｄｅｘ  Ｎｏ．を押下することによりダイレクトに所望のコンテンツを表示させることも可能である。
【００３０】
図２に示すように、表示装置１の筐体４の内部には、コントロール基板５と電源回路６がそれぞれ内蔵される。電源回路６は、液晶表示体２、ＬＥＤ表示体３、コントロール基板５、および、赤外線受光素子８などの表示装置１内の各部に電力を供給する。なお、電源回路６に代えて、又は、電源回路６に加えて、自動車側から電力を供給することも可能であり、また、商用電源から供給することもできる。
【００３１】
コントロール基板５は、図５に示すように、ＣＰＵ１３、コマンド制御部１４、制御プログラムメモリ１６、メモリ１７、タイマー部１８、表示制御部１９、音声制御部２０、外部インターフェイス２２、移動状態検出部４１、自動車信号インターフェイス４３、ＧＰＳ制御部４５、加速度センサ制御部４６、および、傾斜センサ４７を備える。
【００３２】
表示装置１の液晶表示体２やＬＥＤ表示体３に表示する商品情報、役務情報については、予め複数のコンテンツ情報として、コントロール基板５に備えられるメモリ１７、又は、外部メモリとしての外部記憶部２３に記憶される。外部記憶部２３は、例えばＵＳＢメモリ、ＳＤカードであって、外部インターフェイス２２によってコントロール基板５に接続される。こうしたコンテンツ情報に関しては、店舗の表示装置の操作者が提供する商品や役務の内容に応じて、制御手段により、例えば時間帯別、季節別に表示するコンテンツ情報の内容を切換え、液晶表示体２やＬＥＤ表示体３に表示するようにしている。
ここで、制御手段は、制御プログラムメモリ１６、メモリ１７、タイマー部１８、表示制御部１９、および、音声制御部２０を備える。
【００３３】
コマンド制御部１４では、赤外線リモコン１２から発信され、赤外線受光素子８で受信した信号（コード信号）に基づいて、対応するコマンド信号をＣＰＵ１３へ出力し、このコマンド信号に対応する制御をＣＰＵ１３に実行させる。例えば、ＣＰＵ１３は、制御手段に対して、予めメモリ１７に記憶された複数のコンテンツ情報を、選択的に、液晶表示体２あるいはＬＥＤ表示体３に表示させる。
【００３４】
制御プログラムメモリ１６には、予めメモリ１７に記憶された複数のコンテンツ情報即の画像データやその画像の表示モード、表示間隔、繰り返し回数や音声出力パターン等を適切に、液晶表示体２あるいはＬＥＤ表示体３で表示するための処理を含む本表示機の制御のためにＣＰＵ１３が必要とするプログラムソフトウエアが記憶される。
【００３５】
メモリ１７内には、液晶表示体２やＬＥＤ表示体３に表示する商品情報、役務情報に係る複数のコンテンツ情報が予め記憶され、これらのコンテンツは、制御手段の制御により、選択的に液晶表示体２あるいはＬＥＤ表示体３に表示される。また、メモリ１７には、既に液晶表示体２あるいはＬＥＤ表示体３で表示されたコンテンツ別の表示回数、消費電力などのデータも記憶される。
【００３６】
メモリ１７においては、液晶表示体２やＬＥＤ表示体３に表示される規定のコンテンツ情報が予め記憶されるほか、外部インターフェイス２２を介し、外部ネットワーク４８や外部記憶部２３から取得され、カスタマイズされたコンテンツ情報が記憶される。コンテンツ情報は、例えば、図６（Ａ）、（Ｂ）に例示するように、コンテンツごとにＩｎｄｅｘ  Ｎｏ．が付されて保存される。図６（Ａ）、（Ｂ）に示す例では、Ｉｎｄｅｘ  Ｎｏ．１が画像１、Ｉｎｄｅｘ  Ｎｏ．２が画像２、Ｉｎｄｅｘ  Ｎｏ．３が画像３、Ｉｎｄｅｘ  Ｎｏ．４が天気予報、Ｉｎｄｅｘ  Ｎｏ．５がニュース、Ｉｎｄｅｘ  Ｎｏ．６が地域ニュース、Ｉｎｄｅｘ  Ｎｏ．７が緊急災害情報となる。ここで、メモリ１７においては、Ｉｎｄｅｘ  Ｎｏ．ｎまでコンテンツ情報が記憶可能であり、また、Ｉｎｄｅｘ  Ｎｏ．０として表示ＯＦＦ（無表示）が設定され、これらのコンテンツがＩｎｄｅｘ  Ｎｏ．にそれぞれ対応して記憶される。さらにＩｎｄｅｘ  Ｎｏ．ｎ＋１においては、Ｉｎｄｅｘ  Ｎｏ．１からＩｎｄｅｘ  Ｎｏ．ｎまでの各コンテンツ情報を連続して繰り返し、液晶表示体２又はＬＥＤ表示体３に表示させるモードとされている。因みに、Ｉｎｄｅｘ  Ｎｏ．に対応するデータが空欄の場合は読み飛ばす。
【００３７】
メモリ１７にＩｎｄｅｘ  Ｎｏ．１〜３としてそれぞれ記憶された画像１〜３であって、ＬＥＤ表示体３に表示される画像の例としては、図７〜９に示すものがある。図７〜９に示す、いずれのコンテンツも画像は停止中の画像と移動中の画像の二つの区分を有する。各画像に対応して音声データもメモリに格納されるが、図示は省略した。
【００３８】
図７に示す例では、図６（Ａ）のＩｎｄｅｘ  Ｎｏ．１の画像１として、「営業中」の文字情報が所定の動作モード、速度、画像表示時間、繰り返し回数をもって表示されることとなる。また、図８に示す例では、図６（Ａ）のＩｎｄｅｘ  Ｎｏ．２の画像２として、「さんま定食  ５００円」の文字情報が所定の動作モード、速度、画像表示時間、繰り返し回数をもって表示されることとなる。さらに、図９に示す例では、図６（Ａ）のＩｎｄｅｘ  Ｎｏ．３の画像３として、さんまが焼けているイラスト画像情報が所定の動作モード、速度、画像表示時間、繰り返し回数をもって表示されることとなる。
【００３９】
図７〜９の画像データにおいては、停止中（停止状態）の画像データと移動中（移動状態）の画像データの区分があり、移動状態検出部４１が停止中の信号を出力している場合においては、ＣＰＵ１３は、停止中の画像データが表示制御部１９を介してＬＥＤ表示体３に表示される。この画像は動画又は静止画の制限をする必要がないため、点滅やスクロール画像やパラパラアニメ画像などの表示が可能となる。一方、移動状態検出部４１が移動中の信号を出力している場合においては、ＣＰＵ１３は、移動中の画像データが表示制御部１９を介してＬＥＤ表示体３に表示される。自動車の移動中の表示内容は静止画に限定されなければならないため、予め移動中の画像データの記憶エリアには静止画データを格納しておくことになる。
【００４０】
また、メモリ１７にＩｎｄｅｘ  Ｎｏ．１〜３としてそれぞれ記憶された画像１〜３であって、液晶表示体２に表示される画像の例としては、図１０〜１２に示すものがある。図１０〜１２に示す、いずれのコンテンツも画像は停止中の画像と移動中の画像の二つの区分を有する。各画像に対応して音声データもメモリに格納されるが、図示は省略した。また、右側において上下に並べて示した複数の画像は、動画の途中の画像を抜き出したものである。
【００４１】
図１０に示す例では、図６（Ｂ）のＩｎｄｅｘ  Ｎｏ．１の画像１として、レストラン名、「営業中」、ランチタイム情報に関する静止画情報が所定の動作モード、速度、画像表示時間、繰り返し回数をもって表示されることとなる。また、図１１に示す例では、図６（Ｂ）のＩｎｄｅｘ  Ｎｏ．２の画像２として、料理の画像に「パーティー予約承ります」の文字をスクロールさせた動画に関する動画情報が所定の動作モード、指定の繰り返し回数をもって表示されることとなる。さらに、図１２に示す例では、図６（Ｂ）のＩｎｄｅｘ  Ｎｏ．３の画像３として、テーブル上のワイングラスと料理の動画に更にコマーシャルメッセージをスクロールさせた動画に関する動画情報が所定の動作モード、指定の繰り返し回数をもって表示されることとなる。
【００４２】
図１０〜１２の画像データにおいては、停止中の画像データと移動中の画像データの区分があり、移動状態検出部４１が停止中の信号を出力している場合においては、ＣＰＵ１３は、停止中の画像データが表示制御部１９を介して液晶表示体２に表示される。この画像は動画又は静止画の制限をする必要がないため、動画をはじめとした点滅やスクロール画像やパラパラアニメ画像などの表示が可能となる。これに対して、移動状態検出部４１が移動中の信号を出力している場合においては、移動中の画像データが表示制御部１９を介して液晶表示体２に表示される。自動車の移動中の表示内容は静止画に限定されなければならないため、予め移動中の画像データの記憶エリアには静止画データを格納しておくことになる。
【００４３】
また、タイマー部１８は計時回路や現在時刻を記憶する時計回路からなり、表示装置１の制御手段における時間管理や信号処理のタイミング管理の際に利用可能とされる。
表示制御部１９は、メモリ１７に記憶される複数のコンテンツ情報を選択的にＬＥＤ表示体３あるいは液晶表示体２に表示するための制御を行う。
音声制御部２０は、メモリ１７に記憶される複数のコンテンツ情報中の音声情報を表示装置１のスピーカ２１に向けて出力することを制御する。
【００４４】
外部インターフェイス２２は、上述の外部記憶部２３のほかに、外部ネットワーク４８と、ＷｉＦｉ／無線ＬＡＮ制御部４９とをそれぞれコントロール基板５に接続している。
メモリ１７に記憶される複数のコンテンツ情報は、「営業中」、「休憩中」などの規定の表示情報のほか、例えば表示装置１の操作者が自らデジタルカメラ、デジタルビデオで画像、映像を制作し、コンピュータ等で編集して外部インターフェイス２２から入力したものを用いることとしてもよい。その場合、外部インターフェイス２２に操作者が制作したコンテンツ情報を記憶する外部記憶部２３を接続して行うようにしている。
【００４５】
さらに、表示装置１においては、外部インターフェイス２２を外部ネットワーク４８（例えば、インターネット、イントラネット、ＷｉＦｉ、無線ＬＡＮ）に接続させ、外部で制作されたコンテンツ情報をダウンロードし、例えばチェーン店の本部から送信される商品情報や役務情報に係るコンテンツ情報を定期的に受信し、メモリ１７内で記憶させることも可能とされる。
【００４６】
表示装置１は、自動車などの移動体に搭載され、移動店舗で販売される商品情報や明日の特売情報提供などの役務や、公共性の強い緊急情報の提供役務の用途に使用でき、いわゆる電子看板としての車載用途に用いることができる。また自動車などで移動可能とすることにより有線ＬＡＮの使用が制限されることが考えられため、外部インターフェイス２２を介して表示装置１に接続されたＷｉＦｉ／無線ＬＡＮ制御部４９により、ＷｉＦｉ、無線ＬＡＮ回線に接続可能となるので移動可能なデジタルサイネージ端末として用いることも可能とされる。
【００４７】
移動判断機能部としての移動状態検出部４１は、自動車信号インターフェイス４３と、ＧＰＳ制御部４５と、加速度センサ制御部４６とを備えている。
【００４８】
自動車信号インターフェイス４３は、自動車からの信号４２を受信可能であり、自動車が移動状態であることを示す移動信号や、停止状態であることを示す停止信号を受信する。最近の自動車は電子制御による部分が多くなり、スピード信号やブレーキ信号等の電気信号のインターフェイスがあり、そこから各種の信号を取り出すことができる。例えば、スピード信号を移動状態検出部の自動車信号インターフェイスに引き込み、スピード信号によって自動車のスピードを検出することにより、自動車が、停止状態であることや、前進移動又は後退移動の移動状態であることを検知することができ、この検知結果に対応した、移動信号と停止信号を出力可能である。このような信号を受けた自動車信号インターフェイス４３は、その信号を移動状態検出部４１に送り、これらの信号に基づいて、移動状態検出部４１は、自動車が移動状態か停止状態かを判断する。この判断結果は、ＣＰＵ１３へ送出され、ＣＰＵ１３では、自動車が移動状態か停止状態かに応じて、液晶表示体２およびＬＥＤ表示体３の表示内容を所定のものを表示するように表示制御部１９へ指示する。特に、移動状態と停止状態の一方から他方へ切り替わったときには、表示内容を直ちに切り替えるように、表示制御部１９へ指示する。
【００４９】
ＣＰＵ１３が移動状態検出部４１から受け取る信号は、自動車が移動状態であるか停止状態であるかを示しているが、それ以上の情報は示していない。例えばＣＰＵ１３が停止状態を知ることができたとしても、それが赤信号のため停止状態にあるか、あるいは渋滞のため停止状態にあるのかもしれない。赤信号の停止状態や渋滞中の停止状態のように一時的で短時間後に移動状態にもどるような停止状態においては、前記のようにほかの車両のドライバーの錯誤を誘発する恐れがあって危険であるため、動画表示等は避けなければならない。そこで、ＣＰＵ１３は、移動状態検出部４１から受け取る信号により、停止状態と判断しても、表示装置１の操作者が予め設定した時間を経過しない限り、停止状態に相当する表示を行わないようにしている。表示装置１の操作者は、その時々の道路事情に合わせて前記時間を予め設定することができる。このように時間設定を行うことにより、ＣＰＵ１３は、移動状態検出部４１が停止状態を認識しても直ちに停止状態に相当する表示に切り替えさせないため、ほかの車両のドライバーの錯誤の誘発を避けることが可能となり、赤信号や渋滞による一時的な停止状態のときに動画が表示されることを確実に防止することができる。ここで、前記時間の設定は赤外線リモコン１２の機能設定ボタン２６により時間設定の項目を選択し、テンキー２１で所望の時間を入力することにより行うことができる。
例えば、図１８に示す例では、表示装置１の操作者が予め設定した時間は（Ｃ）に示す遅延時間である。図１８に示すように、（Ｂ）に示す出力信号において車両が停止状態になったタイミング、すなわち信号レベルが「Ｌ」から「Ｈ」に立ち上がったタイミングから上記遅延時間経過後に、（Ｄ）に示す停止時の画像データの表示が開始される。
【００５０】
自動車からの信号４２が例えば図１５（Ａ）に示すような時間変化を示すものであった場合、自動車信号インターフェイス４３からは、図１５（Ｂ）に示すような信号が出力され、この信号に対応して、図１５（Ｃ）に示すように、ＣＰＵ１３の指示にしたがって、移動時（移動状態）の画像データと停止時（停止状態）の画像データが切り替えられ、これらの画像データに対応する画像が、液晶表示体２とＬＥＤ表示体３のうちＣＰＵ１３が選択した媒体に表示される。ここで、図１５（Ａ）、（Ｂ）、（Ｃ）の横軸は経過時間であり、縦軸において、自動車からの信号４２において、前進方向に移動しているときは速度が正、後退方向への移動では速度は負であり、速度がゼロのときは自動車信号インターフェイス４３からの信号は「Ｈ」となり、停止時の画像データが選択される。一方、自動車からの信号４２において速度がゼロ以外のときは自動車信号インターフェイス４３からの信号は「Ｌ」となり、移動時の画像データが選択される。
【００５１】
ＧＰＳ制御部４５はＧＰＳアンテナ４４からの出力信号に基づいて、自動車とＧＰＳ衛星との距離を一定時間ごとに算出し、この結果によって自動車の位置、走行方向、および速度を算出する。ここで、ＧＰＳはＧｌｏｂａｌ  Ｐｏｓｉｔｉｏｎｉｎｇ  Ｓｙｓｔｅｍであり、ＧＰＳアンテナ４４がＧＰＳ衛星から受信するデータには、ＧＰＳアンテナ４４を備える自動車の経度と緯度のデータが含まれる。移動状態検出部４１では、ＧＰＳ制御部４５による算出結果に基づいて、自動車が移動状態か停止状態かを判断する。この判断結果は、ＣＰＵ１３へ送出され、ＣＰＵ１３では、自動車が移動状態か停止状態かに応じて、液晶表示体２およびＬＥＤ表示体３の表示内容を所定のものを表示するように表示制御部１９へ指示する。
【００５２】
ＧＰＳアンテナ４４からの出力信号が図１６（Ａ）のような情報を示す場合、ＧＰＳ制御部４５からは、図１６（Ｂ）に示すような信号が出力され、この信号に対応して、図１６（Ｃ）に示すように、ＣＰＵ１３の指示にしたがって、移動時（移動状態）の画像データと停止時（停止状態）の画像データが切り替えられ、これらの画像データに対応する画像が、液晶表示体２とＬＥＤ表示体３のうちＣＰＵ１３が選択した媒体に表示される。ここで、ＧＰＳアンテナ４４からの信号において、経度データと緯度データのいずれも変化がないときはＧＰＳ制御部４５からの信号は「Ｈ」となり、停止時の画像データが選択される。一方、ＧＰＳアンテナ４４からの信号において、経度データと緯度データの少なくとも一方に変化があったときはＧＰＳ制御部４５からの信号は「Ｌ」となり、移動時の画像データが選択される。
【００５３】
加速度センサ制御部４６は、加速度センサ４０から出力される加速度に関する信号を時間で積分して自動車の速度を推定し、推定した速度に基づいて、自動車が移動状態なのか停止状態なのかを判断する。この推定速度は＋（正）又は−（負）の極性を持った形式で得ることができる。例えば＋Ｖ１であれば前進方向のＶ１速度、−Ｖ１であれば後退方向のＶ１速度ということになり、０（ゼロ）であれば停止状態である。この推定速度や加速度センサ４０からの出力信号には僅かではあるが誤差が含まれることがあるため、＋側と−側に閾値「＋Ｖｔｈ−Ａ」、「−Ｖｔｈ−Ｂ」をそれぞれ設定し、図１７（Ｂ）、（Ｃ）、（Ｄ）に示すように、速度値Ｖが、ゼロを含んだ、上記２つの閾値の間の範囲内にあるとき、すなわち次式（Ｉ）を満たすときに、移動状態検出部４１が自動車は停止状態であると判断するようにすると、信号の誤差を排除することができ、停止状態および停止状態を的確に判断可能となり、その判断結果をＣＰＵ１３に信号を送ることが出来る。ここで、速度値Ｖが次式（Ｉ）を満たさないとき、すなわち速度値Ｖが＋Ｖｔｈ−Ａよりも大きい、または、−Ｖｔｈ−Ｂよりも小さいときは、移動状態検出部４１は、自動車が移動状態にあると判断する。このとき、Ｖｔｈは進行方向および後退方向共通の閾値、Ａはその閾値に対する進行方向の補正値、Ｂは後退方向の補正値とする。
−Ｖｔｈ−Ｂ≦Ｖ≦＋Ｖｔｈ−Ａ      （Ｉ）
【００５４】
以上のように、移動状態検出部４１では、自動車からの信号４２、ＧＰＳアンテナ４４からの出力信号、又は、加速度センサ４０からの出力信号に基づいて、自動車が移動状態か停止状態かを判断するが、この判断は、これら３つの信号のうちの２つ以上を組み合わせて行ってもよい。
【００５５】
移動判断機能部としての移動状態検出部４１によって自動車が移動状態か停止状態かが判断されると、この判断結果に基づいてＣＰＵ１３は、表示制御部１９を次の（１）、（２）のように動作させる。
（１）移動状態検出部４１から出力される信号が、自動車が移動状態であることを示す信号である場合、ＬＥＤ表示体３あるいは液晶表示体２に表示する表示内容を静止画像の表示または無表示とする。
（２）移動状態検出部４１から出力される信号が、自動車が停止状態であることを示す信号である場合、表示内容を静止画像の表示、動画の表示、および、無表示のうちの少なくとも１つとする。
【００５６】
さらに、自動車が、移動状態から停止状態へ、又は、停止状態から移動状態へ切り替わったと判断されたときには、ＣＰＵ１３は、表示制御部１９に対して、切り替え後の状態に対応する表示内容に直ちに変更するように指示し、液晶表示体２とＬＥＤ表示体３は即時に表示を変更する。ここで、特に、停止状態において静止画像の表示または動画の表示を行っている状態で、移動状態検出部４１が、停止状態から移動状態に変化したことを判断したことを示す信号を受け取った場合、表示制御部１９は、割り込み処理として、表示内容を、所定の固定画コンテンツの表示に切り替える。この固定画コンテンツの表示への切り替えから所定時間以内、例えば３秒以内に停止状態にもどった場合は、表示内容として、割り込み処理の直前に表示されていた、静止画像の表示または動画の表示を再開する。ここで、上記固定画コンテンツは、移動状態用の画像を用いてもよいし、専用の静止画を用いてもよい。
【００５７】
また、表示装置１は傾斜センサ４７を備えている。この傾斜センサ４７は、表示装置１の重力方向に対する傾斜角度を検出する。
表示装置１を自動車などの移動体に搭載する際、道路の傾斜などの物理的な事情によっては縦横の向きや傾きを変えて搭載しなければならない場合がある。そのような場合には、傾斜センサ４７による検出結果にしたがって、ＣＰＵ１３は、液晶表示体２又はＬＥＤ表示体３における表示内容の表示角度を調整するように表示制御部１９に指示信号を出力し、この信号にしたがって表示制御部１９は液晶表示体２又はＬＥＤ表示体３に対して出力する画像データを調整する。
【００５８】
透明樹脂板７の四隅には吸盤９がそれぞれ配置されており、これらの吸盤９によって、表示装置１は自動車に取り付けられる。例えば、図１３（Ａ）、（Ｂ）に示すように、吸盤９によって自動車１０の窓ガラス１１の内側に簡単に取りつけけることが可能である。また、図１４（Ａ）、（Ｂ）に示すように、自動車１０のドア５１に内蔵させることも可能である。この場合は、ドア５１の外面のうち、表示装置１に対応する範囲を、赤外線リモコン１２からの出射光が透過可能な透明部材５２とし、この透明部材５２に対して吸盤９を用いて表示装置１を取り付けることにより、外部から表示装置１を視認することができる。
ここで、図１３（Ａ）、（Ｂ）に示すように自動車１０の窓ガラス１１の内側に表示装置１を取り付けた場合でも、赤外線リモコン１２から出射された光は窓ガラス１１を透過するため、表示装置１に対して所定の信号を送信し、所定の操作を行わせることが可能である。また、図１４（Ａ）、（Ｂ）に示すように表示装置１をドア５１に内蔵する場合においても、赤外線リモコン１２から出射された光は透明部材５２を透過するため、表示装置１に対して所定の信号を送信することが可能である。
なお、表示装置１の自動車への取り付けは、取り付け場所等に応じて、吸盤９以外の適切な固定方法で行うこともできる。
【００５９】
なお、上記実施形態に係る表示装置１は、液晶表示体２とＬＥＤ表示体３のそれぞれを筐体４に備えるようにしているが、液晶表示体２とＬＥＤ表示体３のいずれか一方のみを備えるようにしてもよい。また、表示装置１は、メモリ１７に記憶される各コンテンツ情報を赤外線リモコン１２から赤外線受光素子８に対する信号の送信によっても切換えることも可能にしている。また、説明の便宜上、図５においてはＣＰＵ１３、タイマー部１８、赤外線信号に基づくコマンド制御部１４など要素ごとに分離して記述した。しかし、近年の技術によるとワンチップＣＰＵなどを使うことも考えられ、その場合は、前記要素はＣＰＵ１３に含まれることが考えられる。
【産業上の利用可能性】
【００６０】
本発明に係る車載用表示装置は、車両その他の移動体に搭載する用途においても所望の表示機能を発揮できるように構成され、かつ、合法的に動作し、移動状態および停止状態における制約を気にすることなく使用することができる点で有用である。
【符号の説明】
【００６１】
１    表示装置
２    液晶表示体
３    ＬＥＤ表示体
４    筐体
５    コントロール基板
６    電源回路
７    透明樹脂板
８    赤外線受光素子
９    吸盤
１０  自動車
１１  窓ガラス
１２  赤外線リモコン
１３  ＣＰＵ
１４  コマンド制御部
１６  制御プログラムメモリ
１７  メモリ
１８  タイマー部
１９  表示制御部
２０  音声制御部
２１  スピーカ
２２  外部インターフェイス
２３  外部記憶部（外部メモリ）
２４  ＯＮ・ＯＦＦスイッチ
２５  発光部
２６  機能設定ボタン
２７  テンキー
２８  送りスイッチ
２９  戻りスイッチ
３０  コンテンツスイッチ
３１  停止中表示スイッチ
３２  走行中表示スイッチ
４０    加速度センサ
４１    移動状態検出部
４２    自動車からの信号
４３    自動車信号インターフェイス
４４    ＧＰＳアンテナ
４５    ＧＰＳ制御部
４６    加速度センサ制御部
４７    傾斜センサ
４８    外部ネットワーク
４９      ＷｉＦｉ／無線ＬＡＮ制御部
５１    自動車のドア
５２    透明部材
【図１】
2017185846.tif 000003
【図２】
2017185846.tif 000004
【図３】
2017185846.tif 000005
【図４】
2017185846.tif 000006
【図５】
2017185846.tif 000007
【図６】
2017185846.tif 000008
【図７】
2017185846.tif 000009
【図８】
2017185846.tif 000010
【図９】
2017185846.tif 000011
【図１０】
2017185846.tif 000012
【図１１】
2017185846.tif 000013
【図１２】
2017185846.tif 000014
【図１３】
2017185846.tif 000015
【図１４】
2017185846.tif 000016
【図１５】
2017185846.tif 000017
【図１６】
2017185846.tif 000018
【図１７】
2017185846.tif 000019
【図１８】
2017185846.tif 000020